(57)【要約】【課題】  一方向の厚さが不均一である班岩や粘板岩などの薄盤状自然石を、平坦化すると共に、敷石大となるように加工した下層自然石を前記上層部の裏面に強固に固定し、上層部自然石と下層部自然石を合成した舗装用敷石を提供する。【解決手段】  厚さが不均一な盤状自然石の裏面に、厚さが均一になるようにセメントモルタルで裏打ちすると共に、裏側に複数の係止具を植立させてなる上層部と、上面にバインダーを塗布すると共に上記上層部に植立させた係止具の突出部を穿設した固定孔に嵌入してなる自然石下層部とを、密着結合させる合成自然石敷石であり、下層部の側面には、１ないし複数の目地キープを一体成形してなることを特徴とする。【選択図】    図４
2007154577.tif 000002
【特許請求の範囲】
【請求項１】
厚さが不均一な盤条自然石の裏面に、厚さが均一になるようにセメントモルタルで裏打ちすると共に、裏側に複数の係止具を植立させてなる上層部と、上面にバインダーを塗布すると共に上記上層部に植立させた係止具の突出部を穿設した固定孔に嵌入してなる下層部とを、密着結合させることを特徴とする合成自然石敷石。
【請求項２】
下層部の側面に、１ないし複数の目地キープを一体成形してなることを特徴とする請求項１に記載の合成自然石敷石。
【発明の詳細な説明】
【技術分野】
【０００１】
本発明は歩道、車道等の道路或いは公園や広場などの地面に舗装するために敷設する自然石と自然石とを重ね合わせて合成した敷石に関するものである。
【背景技術】
【０００２】
従来、歩道や車道および公園などの広場等の舗装には、耐久性に優れると共に耐火性を有するために自然石が古くから用いられている。例えば立方形状の砕石（一般にピンコロと称する）を扇状に並べたり、多角形状の石盤をパッチ当てのごとく敷設する方法や、四角形の石盤を規則正しく、或いは不揃いに加工して敷設する方法など、多くの石材を用いて敷設する方法がある。
【０００３】
通常、上記した敷石に用いる石材は石の塊を山から切り出し、必要な厚み形状に加工して一つの敷石とするが、石の種類によっては、例えば班岩や粘板岩などのように、切り出した塊石を剥離して得られる石材がスレート状の薄板であり、しかも図５に示す塊石１の切れ目２からも分かるように、剥離した石材の厚さが均一でなく、従って敷設用の敷石として適せず、砕石してコンクリートの骨材として用いていた。
【発明の開示】
【発明が解決しようとする課題】
【０００４】
上記した班岩や粘板岩などの塊石より剥離した薄盤状自然石は、一方向の厚さが不均一であるため、敷石形状に裁断加工しても、このままでは舗装用敷石として使用するのは難しい。本発明は適宜敷石形状に裁断加工した薄盤状自然石を上層部としその裏面を平坦化すると共に、敷石大となるように廃材等を加工した下層部自然石を前記上層部の裏面に強固に固定し、上層部自然石と下層部自然石を合成した敷石を安価に提供することを目的とする。
【課題を解決するための手段】
【０００５】
上記目的を達成するために本発明は、厚さが不均一な盤状自然石を用い、その裏面に、厚さが均一になるようにセメントモルタルで裏打ちすると共に、裏側に複数の係止具を植立させてなる上層部と、上面にバインダーを塗布すると共に上記上層部に植立させた係止具の露出部を穿設した固定孔に嵌入した自然石下層部とを、密着結合させることを特徴とする合成自然石敷石である。また、下層部の側面には、１ないし複数の目地キープを一体成形してなることを特徴とする上記に記載の合成自然石敷石である。
上記下層部は、廃材などを上層部表面と同形に適宜加工したものを用いることができる。
【発明の効果】
【０００６】
本発明は厚さが不均一で舗装用敷石として実用的でなかった班岩石等の盤状（薄板状）自然石石材を、敷石サイズに加工すると共にその裏面をモルタル等で裏打ちして均一の厚さに補修した上部層と、肉厚が厚く上層部表面形状と同一の表面形状に成形した下部層を、バインダーおよび係止具を介して固着することにより、廃材や薄い盤状の利用価値の小さい自然石を歩道や車道の舗装用敷石として有効に且つ安価に利用することができた。
また、敷石側面に目地キープを配置することにより、敷石の敷設を効率よく実施できるようになった。
【発明を実施するための最良の形態】
【０００７】
本発明の敷石は、盤状即ち薄板状（スレート状）の自然石を上層部とし、これと一体的に固定する自然石を下層として用い、この上・下層部を固定して敷石ブロックとする。
上層自然石は、薄い盤状（板状）を成す班岩などを用いるが、図５に示すように、山から切り出した班岩などの塊石１には自然の割れ目２が形成されており、この割れ目に沿って薄板状に石材３が剥離される。剥離された石材３は厚さが均一でなく、多くの場合、図５の割れ目２で示すように、幅方向（紙面の左から右の方向）に厚さが斬減する形状を有している。
【０００８】
図１は塊石に形成されている割れ目２に沿って剥離した石材３を、敷石形状４に切削加工したものであり、断面形状において一方の厚さａより他方の厚さｂの方向に次第に小さくなるテーパー状になっている。厚さの形状（テーパー状）は剥離した石材そのままを利用している。
【０００９】
図２は敷石の上層部６を示し、例えば図１の厚さが均一でないテーパー形状を有する石材３の裏面に、セメントモルタル等の整形材５を裏打ち塗布して、均一な厚さを有する敷石４の上層部６に成形する。整形材５の塗布方法は通常に行われる方法、即ちモルタルをこて等を用いて所定の厚さ（均一厚さ）になるよう塗布するか、型枠を用いて整形するなどいずれの手段も採用できる。
上記自然石よりなる敷石上層部６のセメントを裏打ちした裏面には、下層部と強固に固定するための係止具７を嵌合する穿孔９を複数箇所に設け、この孔に係止具７を先端部を露出させて植立させている。
【００１０】
本発明の下層部８は図３に示すように、上層部６と同一の表面形状を有する立方体状の自然石からなり、この下層部８の表面には、上層部６に植立した係止具７の先端部分を嵌入する穿孔９を、係止具７の設置位置に配置して設け、さらに、下層部８の表面には接着剤１０を塗布する。係る構成にして上層部６の下面と下層部８の表面を図４に示すように係止具７が食い込んで接合することにより、両部材６と８とが一体成形された合成敷石１１ができる。接着剤１０としてはセメントモルタル等でよく、又は市販の無機或いは有機の接合材を用いてもよい。
【００１１】
また、上・下層部に設ける穿孔９の形状は丸に限らず係止具７に合わせて多角形でもよく、穿つ孔の数は少なくとも２個以上の複数とすれば接合を強固にできる。係止具７の表面或いは穿孔９の表面には接着剤を塗布しておいてもよい。
本発明に用いる下層部の自然石は、通常敷石に用いられるいずれの種類の石材であってもよく、特に、山の石切り場や加工場に残る廃材を加工し、敷石下層部材に利用することができる。従って、廃材利用により敷石の単価が下がり施工工事の経済効果は大きい。
【００１２】
なお、本発明の敷石側面は、それぞれ敷石形状に加工されるため、厚さや敷石形状が一定となり、敷設時の目地間隔が狭く均一に設定できるので、靴のヒールが挟まることがない。又敷石には目地を形成する目地キープ１２を１ないし２以上設置することにより、目地間隔を一定に保持できる。
【実施例】
【００１３】
図５に示すように、班岩の塊石１より割れ目２に沿って盤状材を剥離し、この盤状材より図１に示す四辺形状（幅×長さ：１００×２００mm）の石材３を切り出した。切り出した石材は一方ａの厚さは２０〜２５mm, 他方ｂの厚さ１０〜１５mmとなるテーパー状の不均一厚みを有しており、これを図２に示すように、一方ａの厚みに均一になるように裏面にセメントモルタル５を裏打ちし、かつ、適宜間隔に長さ３０mmの鉄製係止具７をその先端部分（全長の１／２以上）が露出するように植立固定した。
【００１４】
下層部８に用いる石材は花崗岩の廃材を用いた。表面形状を上層部６の表面と合わせた厚さ６０mmの下層部８の表面に穿孔９を、上層部に配置する係止具位置に合わせて設け、かつ接着剤（セメントモルタル）１０を塗布して係止具７露出部を穿孔９に挿入して上・下層部を接合し、強固に固定して敷石を製造した。下層部８の側面には厚さ５mm，長さ２０mm，幅１０mmの形状の１個または複数の目地キープ１２を一体に設けた。目地キープの厚みは敷設する敷石間に設ける間隔に基づいて決めるものであって、固定的なものではない。
このようにして形成した敷石を多数作製し道路舗装に供したが、通常の１個の敷石と変わりなく、ほぼ５mmの均一な目地間隔を有する舗装の歩道が完成し、本発明敷石が舗装に適していることがわかった。
【図面の簡単な説明】
【００１５】
【図１】本発明を構成する石材を示す斜視図。
【図２】本発明を構成する上層部を示す斜視図。
【図３】本発明を構成する上・下層部を示す斜視図。
【図４】本発明の合成敷石の一例を示す斜視図。
【図５】本発明の塊石の一例を示す斜視図。
【符号の説明】
【００１６】
１：塊石
２：割れ目
３：石材
４：敷石
５：整形材
６：上層部
７：係止具
８：下層部
９：穿孔
１０：接着剤
１１：合成敷石
１２：目地キープ
【図１】
2007154577.tif 000003
【図２】
2007154577.tif 000004
【図３】
2007154577.tif 000005
【図４】
2007154577.tif 000006
【図５】
2007154577.tif 000007